【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
マスターデバイスを有する通信システムのオーディオレンダリングデバイス、又はオーディオ取得デバイスで実施される方法であって、前記マスターデバイスの複数のオーディオチャネルのうちの少なくとも１つの第１オーディオチャネルからデータを消費し、又は当該第１オーディオチャネルにデータを生成するよう前記オーディオレンダリングデバイス、又は前記オーディオ取得デバイスを構成することを有する前記方法において、
前記複数のオーディオチャネルのうちの少なくとも１つの第２オーディオチャネルについて、前記少なくとも１つの第２オーディオチャネルが前記通信システムの少なくとももう１つのオーディオレンダリング及び／又は取得装置に現在割り当てられているかを表す情報を、前記マスターデバイスから取得することと、
前記少なくとも１つの前記第２オーディオチャネルの前記取得された情報に従って、前記複数のオーディオチャネルの中から、前記少なくとも１つの第１オーディオチャネルを選択することと
を有する方法。
【請求項２】
マスターデバイスを有する通信システムに属するオーディオレンダリング及び／又は取得デバイスであって、前記マスターデバイスの複数のオーディオチャネルのうちの少なくとも１つの第１オーディオチャネルからデータを消費し、又は当該第１オーディオチャネルにデータを生成するよう構成されるように適応される前記オーディオレンダリング及び／又は取得デバイスにおいて、
当該オーディオレンダリング及び／又は取得デバイスは、
前記複数のオーディオチャネルのうちの少なくとも１つの第２オーディオチャネルについて、前記少なくとも１つの第２オーディオチャネルが前記通信システムの少なくとももう１つのオーディオレンダリング及び／又は取得装置に現在割り当てられているかを表す情報を、前記マスターデバイスから取得し、
前記少なくとも１つの前記第２オーディオチャネルの前記取得された情報に従って、前記複数のオーディオチャネルの中から、前記少なくとも１つの第１オーディオチャネルを選択する
よう構成された少なくとも１つのプロセッサを有している、
オーディオレンダリング及び／又は取得デバイス。
【請求項３】
前記複数のオーディオチャネルのチャネルは、無線オーディオチャネルである、
請求項２に記載のオーディオレンダリング及び／又は取得デバイス。
【請求項４】
前記取得すること及び前記選択することは、当該オーディオレンダリング及び／又は取得デバイスと前記マスターデバイスとの間のペアリングの間に行われる、
請求項２又は３に記載のオーディオレンダリング及び／又は取得デバイス。
【請求項５】
前記第１オーディオチャネルは、他のオーディオレンダリング及び／又は取得デバイスへ未だ割り当てられていない前記複数のオーディオチャネルの中から選択される、
請求項２乃至４のうちいずれか一項に記載のオーディオレンダリング及び／又は取得デバイス。
【請求項６】
全てのオーディオチャネルが少なくとももう１つのオーディオレンダリング及び／又は取得デバイスへ既に割り当てられている場合に、前記第１オーディオチャネルは、前記既に割り当てられているオーディオチャネルの中から選択される、
請求項２乃至５のうちいずれか一項に記載のオーディオレンダリング及び／又は取得デバイス。
【請求項７】
当該オーディオレンダリング及び／又は取得デバイスは、可変な数のオーディオチャネルを使用するよう構成される、
請求項２乃至６のうちいずれか一項に記載のオーディオレンダリング及び／又は取得デバイス。
【請求項８】
前記複数のオーディオチャネルのチャネルは、無線オーディオチャネルである、
請求項１に記載の方法。
【請求項９】
前記取得すること及び前記選択することは、当該オーディオレンダリング及び／又は取得デバイスと前記マスターデバイスとの間のペアリングの間に行われる、
請求項１又は８に記載の方法。
【請求項１０】
前記第１オーディオチャネルは、他のオーディオレンダリング及び／又は取得デバイスへ未だ割り当てられていない前記複数のオーディオチャネルの中から選択される、
請求項１、８及び９のうちいずれか一項に記載の方法。
【請求項１１】
通信ネットワークによって連結されている少なくとも１つのマスターデバイスと少なくとも１つのオーディオレンダリングデバイス、又はオーディオ取得デバイスとを有する通信システムであって、前記オーディオレンダリングデバイス、又はオーディオ取得デバイスは、前記マスターデバイスの複数のオーディオチャネルのうちの少なくとも１つの第１オーディオチャネルからデータを消費し、又は当該第１オーディオチャネルにデータを生成するよう構成されるように適応される、前記通信システムにおいて、
前記オーディオレンダリング及び／又は取得デバイスは、
前記複数のオーディオチャネルのうちの少なくとも１つの第２オーディオチャネルについて、前記少なくとも１つの第２オーディオチャネルが前記通信システムの少なくとももう１つのオーディオレンダリング及び／又は取得装置に現在割り当てられているかを表す情報を、前記マスターデバイスから取得し、
前記少なくとも１つの前記第２オーディオチャネルの前記取得された情報に従って、前記複数のオーディオチャネルの中から、前記少なくとも１つの第１オーディオチャネルを選択する
よう構成される少なくとも１つのプロセッサを有する、
通信システム。
【請求項１２】
当該通信システムは、複数のオーディオレンダリング及び／又は取得デバイスを有し、
前記複数のオーディオレンダリング及び／又は取得デバイスのうちの少なくとも一部は、前記オーディオチャネルの順序に従って順次に電源をオンされる、
請求項１１に記載の通信システム。
【請求項１３】
マスターデバイスを有する通信システムのオーディオレンダリングデバイス、又はオーディオ取得デバイスを少なくとも部分的に構成する方法を実施するようコンピュータによって実行可能な命令のプログラムを有形に具現化する、前記コンピュータによって読出可能である非一時的なプログラム記憶デバイスであって、前記オーディオレンダリングデバイス、又はオーディオ取得デバイスは、前記マスターデバイスの複数のオーディオチャネルのうちの少なくとも１つの第１オーディオチャネルからデータを消費し、又は当該第１オーディオチャネルにデータを生成するよう構成され、前記方法は、前記オーディオレンダリング及び／又は取得デバイスにおいて実施される、前記非一時的なプログラム記憶デバイスにおいて、
前記方法は、
前記複数のオーディオチャネルのうちの少なくとも１つの第２オーディオチャネルについて、前記少なくとも１つの第２オーディオチャネルが前記通信システムの少なくとももう１つのオーディオレンダリング及び／又は取得装置に現在割り当てられているかを表す情報を、前記マスターデバイスから取得することと、
前記少なくとも１つの前記第２オーディオチャネルの前記取得された情報に従って、前記複数のオーディオチャネルの中から、前記少なくとも１つの第１オーディオチャネルを選択することと
を有する、
非一時的なプログラム記憶デバイス。
【請求項１４】
コンピュータによって実行される場合に、マスターデバイスを有する通信システムのオーディオレンダリングデバイス、又はオーディオ取得デバイスにおいて実施されるよう方法を実施するプログラムコード命令を有し、前記方法は、前記マスターデバイスの複数のオーディオチャネルのうちの少なくとも１つの第１オーディオチャネルからデータを消費し、又は当該第１オーディオチャネルにデータを生成するよう前記オーディオレンダリングデバイス、又は前記オーディオ取得デバイスを構成することを有する、ソフトウェアプログラムであって、
前記方法は、
前記複数のオーディオチャネルのうちの少なくとも１つの第２オーディオチャネルについて、前記少なくとも１つの第２オーディオチャネルが前記通信システムの少なくとももう１つのオーディオレンダリング及び／又は取得装置に現在割り当てられているかを表す情報を、前記マスターデバイスから取得することと、
前記少なくとも１つの前記第２オーディオチャネルの前記取得された情報に従って、前記複数のオーディオチャネルの中から、前記少なくとも１つの第１オーディオチャネルを選択することと
を有する、
ソフトウェアプログラム。
【請求項１５】
コンピュータによって実行される場合に、マスターデバイスを有する通信システムのオーディオレンダリングデバイス、又はオーディオ取得デバイスにおいて実施されるよう方法を実施するプログラムコード命令を有し、前記マスターデバイスの複数のオーディオチャネルのうちの少なくとも１つの第１オーディオチャネルからデータを消費し、又は当該第１オーディオチャネルにデータを生成するよう前記オーディオレンダリングデバイス、又は前記オーディオ取得デバイスを構成することを有する、ソフトウェアプログラムを担持するコンピュータ可読記憶媒体であって、
前記方法は、
前記複数のオーディオチャネルのうちの少なくとも１つの第２オーディオチャネルについて、前記少なくとも１つの第２オーディオチャネルが前記通信システムの少なくとももう１つのオーディオレンダリング及び／又は取得装置に現在割り当てられているかを表す情報を、前記マスターデバイスから取得することと、
前記少なくとも１つの前記第２オーディオチャネルの前記取得された情報に従って、前記複数のオーディオチャネルの中から、前記少なくとも１つの第１オーディオチャネルを選択することと
を有する、
コンピュータ可読記憶媒体。
【手続補正２】
【補正対象書類名】明細書
【補正対象項目名】０１２１
【補正方法】変更
【補正の内容】
【０１２１】
よって、例えば、当業者に理解されるように、ここで提示されるブロック図は、本原理のいくつかの実施形態の実例となるシステムコンポーネント及び／又は回路構成の概念図を表す。同様に、明らかなように、如何なるフローチャート、フロー図、状態遷移図、擬似コード、及び同様のものも、コンピュータ可読記憶媒体において実質的に表現され、故にコンピュータ又はプロセッサによって、そのようなコンピュータ又はプロセッサが明示的に示されていようとなかろうと実行され得る様々なプロセスを表す。
上記実施形態の一部又は全部は、以下の付記のようにも記載されうるが、以下には限られない。
［付記１］
マスターデバイスを有する通信システムのオーディオレンダリング及び／又は取得デバイスで実施される方法であって、前記マスターデバイスの複数のオーディオチャネルのうちの少なくとも１つのオーディオチャネルを使用するよう前記オーディオレンダリング及び／又は取得デバイスを構成することを有する前記方法において、
前記複数のオーディオチャネルのうちの少なくとも１つのオーディオチャネルの状態を取得することであり、該状態は、少なくとももう１つのオーディオレンダリング及び／又は取得装置への当該オーディオチャネルの現在の割り当てを表す、前記取得することと、
前記取得された状態に従って、前記複数のオーディオチャネルの中から、使用される少なくとも１つのオーディオチャネルを選択することと
を有する方法。
［付記２］
マスターデバイスを有する通信システムに属するオーディオレンダリング及び／又は取得デバイスであって、前記マスターデバイスの複数のオーディオチャネルのうちの少なくとも１つのオーディオチャネルを使用するよう構成されるように適応される前記オーディオレンダリング及び／又は取得デバイスにおいて、
当該オーディオレンダリング及び／又は取得デバイスは、
前記複数のオーディオチャネルのうちの少なくとも１つのオーディオチャネルの状態を取得し、該状態は、少なくとももう１つのオーディオレンダリング及び／又は取得装置への当該オーディオチャネルの現在の割り当てを表し、
前記取得された状態に従って、前記複数のオーディオチャネルの中から、使用される少なくとも１つのオーディオチャネルを選択する
よう構成される少なくとも１つのプロセッサを有している、
オーディオレンダリング及び／又は取得デバイス。
［付記３］
前記複数のオーディオチャネルは、無線オーディオチャネルである、
付記２に記載のオーディオレンダリング及び／又は取得デバイス。
［付記４］
当該オーディオレンダリング及び／又は取得デバイスは、オーディオレンダリングデバイスであり、
前記マスターデバイスは、前記複数のオーディオチャネルにおいて少なくとも１つのオーディオ信号を出力する、
付記２又は３に記載のオーディオレンダリング及び／又は取得デバイス。
［付記５］
当該オーディオレンダリング及び／又は取得デバイスは、オーディオ取得デバイスであり、
少なくとも１つのオーディオ信号は、前記複数のオーディオチャネルによって前記マスターデバイスへ入力される、
付記２又は３に記載のオーディオレンダリング及び／又は取得デバイス。
［付記６］
前記取得すること及び前記選択することは、当該オーディオレンダリング及び／又は取得デバイスと前記マスターデバイスとの間のペアリングの間に行われる、
付記２乃至５のうちいずれか一に記載のオーディオレンダリング及び／又は取得デバイス。
［付記７］
前記使用される少なくとも１つのオーディオチャネルは、他のオーディオレンダリング及び／又は取得デバイスへ未だ割り当てられていない前記複数のオーディオチャネルの中から選択される、
付記２乃至６のうちいずれか一に記載のオーディオレンダリング及び／又は取得デバイス。
［付記８］
全てのオーディオチャネルが少なくとももう１つのオーディオレンダリング及び／又は取得デバイスへ既に割り当てられている場合に、前記選択することは、前記既に割り当てられているオーディオチャネルの中で行われる、
付記２乃至７のうちいずれか一に記載のオーディオレンダリング及び／又は取得デバイス。
［付記９］
当該オーディオレンダリング及び／又は取得デバイスは、可変な数のオーディオチャネルを使用するよう構成される、
付記２乃至８のうちいずれか一に記載のオーディオレンダリング及び／又は取得デバイス。
［付記１０］
通信ネットワークによって連結されている少なくとも１つのマスターデバイスと少なくとも１つのオーディオレンダリング及び／又は取得デバイスとを有する通信システムであって、前記オーディオレンダリング及び／又は取得デバイスは、前記マスターデバイスの複数のオーディオチャネルのうちの少なくとも１つのオーディオチャネルを使用するよう構成されるように適応される、前記通信システムにおいて、
前記オーディオレンダリング及び／又は取得デバイスは、
前記複数のオーディオチャネルのうちの少なくとも１つのオーディオチャネルの状態を取得し、該状態は、少なくとももう１つのオーディオレンダリング及び／又は取得装置への当該オーディオチャネルの現在の割り当てを表し、
前記取得された状態に従って、前記複数のオーディオチャネルの中から、使用される少なくとも１つのオーディオチャネルを選択する
よう構成される少なくとも１つのプロセッサを有する、
通信システム。
［付記１１］
前記取得することは、状態の順序集合をもたらし、
前記選択することは、前記順序集合内の当該オーディオチャネルの状態の順序を考慮する、
付記１０に記載の通信システム。
［付記１２］
当該通信システムは、複数のオーディオレンダリング及び／又は取得デバイスを有し、
前記複数のオーディオレンダリング及び／又は取得デバイスのうちの少なくとも一部は、前記状態の順序集合の順序に従って順次に電源をオンされる、
付記１１に記載の通信システム。
［付記１３］
マスターデバイスを有する通信システムのオーディオレンダリング及び／又は取得デバイスを少なくとも部分的に構成する方法を実施するようコンピュータによって実行可能な命令のプログラムを有形に具現化する、前記コンピュータによって読出可能である非一時的なプログラム記憶デバイスであって、前記オーディオレンダリング及び／又は取得デバイスは、前記マスターデバイスの複数のオーディオチャネルのうちの少なくとも１つのオーディオチャネルを使用するよう構成され、前記方法は、前記オーディオレンダリング及び／又は取得デバイスにおいて実施される、前記非一時的なプログラム記憶デバイスにおいて、
前記方法は、
前記複数のオーディオチャネルのうちの少なくとも１つのオーディオチャネルの状態を取得することであり、該状態は、少なくとももう１つのオーディオレンダリング及び／又は取得装置への当該オーディオチャネルの現在の割り当てを表す、前記取得することと、
前記取得された状態に従って、前記複数のオーディオチャネルの中から、使用される少なくとも１つのオーディオチャネルを選択することと
を有する、
非一時的なプログラム記憶デバイス。
［付記１４］
コンピュータによって実行される場合に、マスターデバイスを有する通信システムのオーディオレンダリング及び／又は取得デバイスにおいて実施されるよう方法を実施するプログラムコード命令を有し、前記方法は、前記マスターデバイスの複数のオーディオチャネルのうちの少なくとも１つのオーディオチャネルを使用するよう前記オーディオレンダリング及び／又は取得デバイスを構成することを有する、ソフトウェアプログラムであって、
前記方法は、
前記複数のオーディオチャネルのうちの少なくとも１つのオーディオチャネルの状態を取得することであり、該状態は、少なくとももう１つのオーディオレンダリング及び／又は取得装置への当該オーディオチャネルの現在の割り当てを表す、前記取得することと、
前記取得された状態に従って、前記複数のオーディオチャネルの中から、使用される少なくとも１つのオーディオチャネルを選択することと
を有する、
ソフトウェアプログラム。
［付記１５］
コンピュータによって実行される場合に、マスターデバイスを有する通信システムのオーディオレンダリング及び／又は取得デバイスにおいて実施されるよう方法を実施するプログラムコード命令を有し、前記方法は、前記マスターデバイスの複数のオーディオチャネルのうちの少なくとも１つのオーディオチャネルを使用するよう前記オーディオレンダリング及び／又は取得デバイスを構成することを有する、ソフトウェアプログラムを担持するコンピュータ可読記憶媒体であって、
前記方法は、
前記複数のオーディオチャネルのうちの少なくとも１つのオーディオチャネルの状態を取得することであり、該状態は、少なくとももう１つのオーディオレンダリング及び／又は取得装置への当該オーディオチャネルの現在の割り当てを表す、前記取得することと、
前記取得された状態に従って、前記複数のオーディオチャネルの中から、使用される少なくとも１つのオーディオチャネルを選択することと
を有する、
コンピュータ可読記憶媒体。